(57)【要約】【課題】  詰替え時に周辺を汚すおそれがなく、しかも詰替えに要する時間が短縮可能な注出容器を提供する。【解決手段】  容器体１の口頸部３へ中栓１０の周壁１１を装着させ、該中栓内から注出用のノズル状部材２０を起立し、容器体を斜め下方へ傾斜させることにより、前記中栓周壁１１の底壁１２に形成された流出孔１３を介して流出する容器体内容物を前記ノズル状部材２０から注出可能に設けた注出容器において、前記ノズル状部材２０を前記中栓１０と別体に形成して、該ノズル状部材２０を前記中栓周壁１１内へ着脱自在に嵌合させた。【選択図】  図１
2010126225.tif 000002
【特許請求の範囲】
【請求項１】
容器体１の口頸部３へ中栓１０の周壁１１を装着させ、該中栓内から注出用のノズル状部材２０を起立し、容器体を傾倒させることにより、前記中栓周壁１１の底壁１２に形成された流出孔１３を介して流出する容器体内容物を前記ノズル状部材２０から注出可能に設けた注出容器において、
前記ノズル状部材２０を前記中栓１０と別体に形成して、該ノズル状部材２０を前記中栓周壁１１内へ着脱自在に嵌合させたことを特徴とする注出容器。
【請求項２】
前記ノズル状部材２０下端に外向きフランジ２１を付設して、該外向きフランジを前記中栓周壁１１の下端内面へ着脱自在に嵌合させ、前記ノズル状部材２０上部を前後左右のいずれか一方向へ押すことにより、前記中栓周壁１１に対する前記ノズル状部材外向きフランジ２１の押当部Ｘを支点として、該押当部と反対側の外向きフランジ部分Ｙが上方へ回動して前記中栓周壁１１から嵌合離脱可能に設けたことを特徴とする請求項１記載の注出容器。
【請求項３】
前記ノズル状部材２０は、前記外向きフランジ２１内周から嵌合筒２５を起立させ、さらに該嵌合筒上面に内向きフランジ状頂壁２６を設け、該内向きフランジ状頂壁内周の一部から前記中栓周壁１１より高い樋状ノズル部２３を起立させて形成したことを特徴とする請求項２記載の注出容器。
【請求項４】
前記ノズル状部材４０は、前記外向きフランジ４１内周から前記中栓周壁１１より高い筒状ノズル部４２を起立させて形成したことを特徴とする請求項１または２記載の注出容器。
【請求項５】
前記中栓周壁１１内面に前記外向きフランジ２１、４１上面が係合可能かつ強制乗越え可能な係合突条１４を周設したことを特徴とする請求項１ないし４のいずれか１つに記載の注出容器。
【請求項６】
前記容器体口頸部３へ螺合させた周壁３１の上面を閉塞する頂壁３２中央部から垂下筒３３を垂設して、該垂下筒の下端が前記ノズル状部材２０の外向きフランジ２１上面へ当接可能に設けたオーバーキャップ３０を備え、該オーバーキャップのねじ込みで前記外向きフランジ２１が押下げられて前記中栓周壁１１の底壁１２へ当接可能に設けたことを特徴とする請求項１ないし５のいずれか１つに記載の注出容器。
【請求項７】
前記ノズル状部材２０、４０の外方に外気を容器体内へ導入可能な外気導入手段２４、４５を設けたことを特徴とする請求項１ないし６のいずれか１つに記載の注出容器。
【請求項８】
前記外気導入手段は前記樋状ノズル部２３の開口前方に位置して前記内向きフランジ状頂壁２６から前記嵌合筒２５周面にかけて延びる切欠部２４からなることを特徴とする請求項７記載の注出容器。
【請求項９】
前記外気導入手段は前記外向きフランジ４１に通孔４４を形成して、該通孔周縁から外気導入筒４５を垂設して構成したことを特徴とする請求項７記載の注出容器。
【発明の詳細な説明】
【技術分野】
【０００１】
本発明は、液体等の容器体内容物を容器体から注出可能な注出容器に関する。
【背景技術】
【０００２】
容器体の口頸部上端から第１内向きフランジを介して吊下げ筒部を垂下すると共に、該筒部下端に付設した第２内向きフランジ内周から注出筒を容器体口頸部よりも高く起立し、また、吊下げ筒部の上端部内面へ、頂板部外周から垂下する側壁部を嵌合させると共に、該側壁部に付設した環状肩部を第１内向きフランジ上へ載置させた注出容器が知られている(特許文献１)。
【特許文献１】実開昭６２−９９５４１号公報
【発明の開示】
【発明が解決しようとする課題】
【０００３】
しかしながら詰替え容器の液体を容器体に詰め替える場合、特許文献１記載の注出容器では、注出筒と容器本体とが一体であるから、注出筒を取外すことができず、したがって、詰替え容器の注出口を注出筒上端へ臨ませて詰替えを行っているが、注出筒は容器体口頸部より高く、しかも注出筒の口部は容器体口頸部より小さいため、注出液が注出筒外へこぼれ出て周辺を汚すおそれがあった。また、注出筒の口径は小さいため、詰替えに時間がかかっていた。
【０００４】
本発明の目的は、詰替え時に周辺を汚すおそれがなく、しかも詰替えに要する時間が短縮可能な注出容器を提供することにある。
【課題を解決するための手段】
【０００５】
本発明は、容器体１の口頸部３へ中栓１０の周壁１１を装着させ、該中栓内から注出用のノズル状部材２０を起立し、容器体を傾倒させることにより、前記中栓周壁１１の底壁１２に形成された流出孔１３を介して流出する容器体内容物を前記ノズル状部材２０から注出可能に設けた注出容器において、
前記ノズル状部材２０を前記中栓１０と別体に形成して、該ノズル状部材２０を前記中栓周壁１１内へ着脱自在に嵌合させたことを特徴とする。
【０００６】
また、本発明は、前記ノズル状部材２０下端に外向きフランジ２１を付設して、該外向きフランジを前記中栓周壁１１の下端内面へ着脱自在に嵌合させ、前記ノズル状部材２０上部を前後左右のいずれか一方向へ押すことにより、前記中栓周壁１１に対する前記ノズル状部材外向きフランジ２１の押当部Ｘを支点として、該押当部と反対側の外向きフランジ部分Ｙが上方へ回動して前記中栓周壁１１から嵌合離脱可能に設けたことを特徴とする。
【０００７】
さらに、本発明は、前記ノズル状部材２０は、前記外向きフランジ２１内周から嵌合筒２５を起立させ、さらに該嵌合筒上面に内向きフランジ状頂壁２６を設け、該内向きフランジ状頂壁内周の一部から前記中栓周壁１１より高い樋状ノズル部２３を起立させて形成したことを特徴とする。
【０００８】
さらに、本発明は、前記ノズル状部材４０は、前記外向きフランジ４１内周から前記中栓周壁１１より高い筒状ノズル部４２を起立させて形成したことを特徴とする。
【０００９】
さらに、本発明は、前記中栓周壁１１内面に前記外向きフランジ２１、４１上面が係合可能かつ強制乗越え可能な係合突条１４を周設したことを特徴とする。
【００１０】
さらに、本発明は、前記容器体口頸部３へ螺合させた周壁３１の上面を閉塞する頂壁３２中央部から垂下筒３３を垂設して、該垂下筒の下端が前記ノズル状部材２０の外向きフランジ２１上面へ当接可能に設けたオーバーキャップ３０を備え、該オーバーキャップのねじ込みで前記外向きフランジ２１が押下げられて前記中栓周壁１１の底壁１２へ当接可能に設けたことを特徴とする。
【００１１】
さらに、本発明は、前記ノズル状部材２０、４０の外方に外気を容器体内へ導入可能な外気導入手段２４、４５を設けたことを特徴とする。
【００１２】
さらに、本発明は、前記外気導入手段は前記樋状ノズル部２３の開口前方に位置して前記内向きフランジ状頂壁２６から前記嵌合筒２５周面にかけて延びる切欠部２４からなることを特徴とする。
【００１３】
さらに、本発明は、前記外気導入手段は前記外向きフランジ４１に通孔４４を形成して、該通孔周縁から外気導入筒４５を垂設して構成したことを特徴とする。
【発明の効果】
【００１４】
本発明は、ノズル状部材を中栓と別体に形成して、該ノズル状部材を中栓に対して着脱自在に設けたので、詰替え時に、中栓からノズル状部材を取外すことができ、したがって、詰替え容器の内容物を広口の中栓に直接注入することができるため、内容物が容器体外へこぼれ出るおそれがなく、周辺を汚すことがないばかりか、詰替えも容易である。
【００１５】
また、本発明は、中栓はノズル状部材より広口であるため、詰替え容器からの注出量を大にすることができ、したがって、詰替え時間の短縮化が可能となる。
【００１６】
さらに、本発明は、ノズル状部材を押すだけでノズル状部材を中栓から嵌合離脱させることが可能であるから、詰替え時における中栓からのノズル状部材の取り外しが容易である。
【００１７】
さらに、本発明は、オーバーキャップのねじ込みで外向きフランジが押下げられて中栓周壁の底壁へ当接可能に設けたので、詰替え後のノズル状部材の組付けが容易である。
【００１８】
さらに、本発明は、ノズル状部材の外方に外気導入手段を設けたので、ノズル状部材の注出路を利用して外気を導入する従来例のように外気の導入が容器内容物の注出によって妨げられることがなく、したがって、外気の導入が円滑に行われる。
【発明を実施するための最良の形態】
【００１９】
以下、本発明を、図面に示す実施の形態を参照しながら説明する。なお、説明の便宜上、図面において左方向を前方とする。
１は容器体で、胴部２上端から肩部を介して口頸部３を起立し、該口頸部上端部を縮径して口頸部内面に段部４を形成するとともに、口頸部外面に雄ネジを付設している。
【００２０】
１０は中栓で、周壁１１と周壁下面に形成された流出孔１３付き底壁１２とから構成されている。周壁１１は上端部を容器体口頸部の段部４へ係合させて容器体胴部２の上部内へ垂下されており、該周壁１１の下端部内面には後述の外向きフランジ２１が強制乗越えして、その上面が係合可能な係合突条１４が周設されている。
【００２１】
２０はノズル状部材で、中栓底壁１２上へ載置され、かつ上面を係合突条１４へ係合させた外向きフランジ２１内周から嵌合筒２５を起立するとともに、嵌合筒上面に内向きフランジ状頂壁２６を設けている。該内向きフランジ状頂壁はその後端部を除いた頂壁部分が後下方へ傾斜する傾斜部２２に形成されている。
【００２２】
内向きフランジ状頂壁２６における傾斜部２２の内周は横向きのU字状ないしV字状に形成されており、傾斜部２２の内周に断面形状がU字状ないしV字状の樋状ノズル部２３が立設されている。樋状ノズル部２３の高さは中栓周壁１１のそれよりも高く設けられている。
【００２３】
内向きフランジ状頂壁２６の後端部の左右方向中間部から嵌合筒２５周面下端にかけて切欠部２４が形成されている。該切欠部２４は樋状ノズル部２３の後面側開口の前方に位置して外気を容器体内へ導入する外気導入手段を構成する。
【００２４】
３０はオーバーキャップで、内周面に雌ネジが付設された周壁３１を容器体口頸部へ螺合させるとともに、該周壁３１の上面を閉塞する頂壁３２の中央部へ上面閉塞の垂下筒３３を貫設させ、かつ該垂下筒下端をノズル状部材２０の外向きフランジ２１上面へ当接させている。頂壁３２の下面には垂下筒３３を囲むようにシール筒３４が周設されており、該シール筒３４は容器体口頸部の上端部内面へ係合可能に設けられている。
【００２５】
次に作用について説明する。
図1はオーバーキャップ３０が容器体へ装着された状態を示す。液体等の容器体内容物を注出するには、図２に示すようにオーバーキャップ３０を容器体口頸部から螺脱させた後、容器体を傾ければよく、すると液体等は流出孔１３から樋状ノズル部２３へ流出するとともに、外気導入手段を構成する切欠部２４を介して外気が容器体内へ導入される。
【００２６】
容器体内容物が消費されて詰替えが必要になった場合には、オーバーキャップ３０を螺脱させた状態で、図３に示すように樋状ノズル部２３の上端部を後方へ押せばよく、すると外向きフランジ２１の後端、すなわち中栓周壁１１に対する外向きフランジ２１の押当部Xを支点として、該押当部と反対側(軸対称側)の外向きフランジ２１部分Yが上方へ回動して中栓周壁１１の係合突条１４から上方へ離脱することにより後方へ傾倒する。
【００２７】
嵌合筒２５の高さは後端部が低く形成されているから、ノズル状部材２０の後方への傾倒が可能である。また、外向きフランジ２１と係合突条１４との係合力は樋状ノズル部２３を傾倒させる方向への回転モーメントよりも小さく設定されているから、ノズル状部材２０の後方の傾倒が可能である。
【００２８】
このようにして樋状ノズル部２３を後方へ傾倒させた後、図４に示すようにノズル状部材２０を中栓１０から上方へ取り出す。次いで図示しない詰替え容器内の液体等の内容物を中栓１０内へ注出すればよい。
【００２９】
詰替え後、ノズル状部材２０を中栓１０内へ挿入すると、外向きフランジ２１の周縁部が係合突条１４上面へ係合する。次いでオーバーキャップ３０を容器体口頸部へ螺合させればよく、すると垂下筒３３下端が外向きフランジ２１上面へ当接して外向きフランジ２１を押し下げることにより、係合突条１４を強制乗越えさせる。この状態を示すのが図１である。
【００３０】
図５ないし図９は第2実施形態を示す。本実施形態では、中栓の底壁１２を斜め下後方へやや傾斜させておく。また、ノズル状部材４０は、中栓底壁１２上へ載置され、かつ上面を係合突条１４へ係合させた外向きフランジ４１内周から筒状ノズル部４２を起立させている。なお、筒状ノズル部４２の上端後部を切り欠いて上端前部を樋状部４３に形成するのが好ましい。
【００３１】
また、外気導入手段は外向きフランジ部４１の後部に通孔４４を形成して、該通孔周縁から外気導入筒４５を垂設して構成する。その他の構成は第１実施形態と同一であるから説明を省略する。
【図面の簡単な説明】
【００３２】
【図１】(１)  本発明に係る注出容器のノズル状部材の平面図である。(２)  要部を示す縦断面図である。
【図２】容器体からオーバーキャップを取り外した状態を示す断面図である。
【図３】ノズル状部材の取り外し時の作用説明図である。
【図４】中栓からノズル状部材を取外して詰替えを行う際の作用説明図である。
【図５】(１)  第２実施形態を示すもので、図５(２)のＡ−Ａに線に沿う断面図である。          (２)  要部を示す縦断面図である。
【図６】容器体からオーバーキャップを取り外した状態を示す断面図である。
【図７】ノズル状部材の取り外し時の作用説明図である。
【図８】容器体内容物を注出する際の外気導入状態を示す作用説明図である。
【図９】中栓からノズル状部材を取外して詰替えを行う際の作用説明図である。
【符号の説明】
【００３３】
１  容器体
３  口頸部
１０  中栓
１１  周壁
１２  底壁
１３  流出孔
１４  係合突条
２０  ノズル状部材
２１  外向きフランジ
２３  樋状ノズル部
２６  内向きフランジ状頂壁
２４  切欠部
３０  オーバーキャップ
３１  周壁
３２  頂壁
３３  垂下筒
４０  ノズル状部材
４１  外向きフランジ
４２  筒状ノズル部
４４  通孔
４５  外気導入筒
Ｘ  押当部
Ｙ  外向きフランジ２１部分
【図１】
2010126225.tif 000003
【図２】
2010126225.tif 000004
【図３】
2010126225.tif 000005
【図４】
2010126225.tif 000006
【図５】
2010126225.tif 000007
【図６】
2010126225.tif 000008
【図７】
2010126225.tif 000009
【図８】
2010126225.tif 000010
【図９】
2010126225.tif 000011